(57)【要約】      （修正有）【課題】予作動式スプリンクラー設備において、制御盤からの操作による予作動弁装置を含む全体の動作試験を実放水を伴うことなく簡単且つ確実に行うことを可能とする。【解決手段】予作動制御盤３４の監視制御部８８は、火災感知器３６による火災検出と減圧警報用圧力スイッチ５８による減圧検出の両方を判別した場合に予作動弁装置の自動起動弁４８を開動作して予作動弁装置を開放し、スプリンクラーヘッドから加圧消火用水を散水させる。予作動制御盤３４には試験スイッチ１００と試験制御部９０が設けられ、試験制御部９０は試験スイッチ１００の操作時に、火災感知器３６による擬似的な火災検出と減圧警報用圧力スイッチ５８による擬似的な減圧検出を生成して予作動弁装置を試験動作させ、予作動弁装置の動作を検出する検出器の検出出力に基づき試験結果を報知する。【選択図】図３
2012055505.tif 000002
【特許請求の範囲】
【請求項１】
防護区画に設置された閉鎖型のスプリンクラーヘッドと、
前記防護区画に設置された火災感知器と、
遠隔制御により開放され、１次側の給水配管から供給された加圧消火用水を２次側配管に接続した前記スプリンクラーヘッドに供給する予作動弁装置と、
前記スプリンクラーヘッドの開放作動による前記予作動弁装置の２次側配管の減圧を検出する減圧検出器と、
前記火災感知器による火災検出と前記減圧検出器による減圧検出の両方を判別した場合に前記予作動弁装置を開放して前記スプリンクラーヘッドから加圧消火用水を散水させる制御部と、
を備え、定常監視状態で前記スプリンクラーヘッドを接続した前記予作動弁装置の２次側配管に加圧消火用水を充水するか又は加圧空気を充填した予作動式スプリンクラー設備に於いて、
試験スイッチと、
前記試験スイッチの操作時に、前記火災感知器による擬似的な火災検出と前記減圧検出器による擬似的な減圧を生成して前記予作動弁装置を試験動作させ、前記予作動弁装置の動作を検出する検出器の検出出力に基づき試験結果を報知する試験制御部と、
を設けたことを特徴とする予作動式スプリンクラー設備。
【請求項２】
防護区画に設置された閉鎖型のスプリンクラーヘッドと、
前記防護区画に設置された火災感知器と、
遠隔制御により開放され、１次側の給水配管から供給された加圧消火用水を２次側配管に接続した前記スプリンクラーヘッドに供給する予作動弁装置と、
前記スプリンクラーヘッドの開放作動による前記予作動弁装置の２次側配管の減圧を検出する減圧検出器と、
前記火災感知器による火災検出を判別した場合に前記予作動弁装置を開放し、その後の前記スプリンクラーヘッドの開放作動により散水可能状態を作り出す制御部と、
を備え、定常監視状態で前記スプリンクラーヘッドを接続した前記予作動弁装置の２次側配管に加圧消火用水を充水するか又は加圧空気を充填した予作動式スプリンクラー設備に於いて、
試験スイッチと、
前記試験スイッチの操作時に、前記火災感知器による擬似的な火災検出を生成して前記予作動弁装置を試験動作させ、前記予作動弁装置の動作を検出する検出器の検出出力に基づき試験結果を報知する試験制御部と、
を設けたことを特徴とする予作動式スプリンクラー設備。
【請求項３】
請求項１又は２記載の予作動式スプリンクラー設備に於いて、
前記予作動弁装置は、
加圧消火用水の圧力を利用した駆動機構により開閉動作する予作動弁と、
遠隔操作により前記予作動弁を開閉させる自動起動弁と、
前記自動起動弁の開閉を検出する起動弁開閉検出器と、
を備え、
前記試験制御部は、前記自動起動弁の開動作させ、前記起動弁開閉検出器により前記予作動弁装置の試験動作を検出して試験結果を報知することを特徴とする予作動式スプリンクラー設備。
【請求項４】
請求項３記載の予作動式スプリンクラー設備に於いて、前記起動弁開閉検出器は、前記自動起動弁の開位置への作動でオンして起動弁開検出信号を出力する位置検出器であることを特徴とする予作動式スプリンクラー設備。
【発明の詳細な説明】
【技術分野】
【０００１】
本発明は、火災感知器による火災検出時に予作動弁を開放して２次側配管に加圧消火用水を供給した後にスプリンクラーヘッドの作動で放水させる予作動式スプリンクラー設備に関する。
【背景技術】
【０００２】
従来、スプリンクラーヘッドの破損などによる誤放水を防止する消火設備として予作動式のスプリンクラー設備が知られている。
【０００３】
予作動式スプリンクラー設備は、防護区画に設置された予作動弁装置、閉鎖型のスプリンクラーヘッド、火災感知器及び予作動制御盤で構成される。スプリンクラーヘッドを接続した予作動弁装置の２次側配管に加圧消火用水を充水するか又は圧縮空気を充填しており、火災感知器による火災発報とスプリンクラーヘッドによる減圧検出の両方を判別した場合（ダブルインターロック制御）、又は火災感知器による火災発報を判別した場合（シングルインターロック制御）、予作動弁装置を開放してスプリンクラーヘッドから加圧消火用水を放水させる。
【０００４】
一方、スプリンクラーヘッドが破損した場合は、火災感知器による火災発報が判別されていないことから予作動弁装置の開放は行われず、誤放水を確実に防止することができる。
【０００５】
また従来の予作動式スプリンクラー設備は、点検時に予作動弁装置の２次側配管に遠隔試験弁を設け、試験弁を開放して排水管に開くことで、例えばスプリンクラーヘッド１台が作動したと同じ状態を作り出し、予作動弁装置を開放作動させ、消火ポンプを始動して正常に動作するか否か点検している。
【先行技術文献】
【特許文献】
【０００６】
【特許文献１】特開平４−１８９３７２号公報
【特許文献２】特開平４−２７６２７１号公報
【発明の概要】
【発明が解決しようとする課題】
【０００７】
しかしながら、このような従来の予作動式スプリンクラー設備における試験にあっては、予作動弁装置の動作を直接試験しているが、火災発報や２次配管減圧に基づき予作動弁装置を遠隔制御する予作動弁制御盤の制御による予作動弁装置の動作試験は行われておらず、予作動制御盤の点検が充分とはいえない。
【０００８】
また従来の試験は予作動弁装置の２次側配管の排水にスプリンクラーヘッドが作動したと同じ状態を擬似的に作り出して試験しており、消火ポンプの始動まで行っていることから、試験後に消火ポンプを停止し、また２次側に加圧消火用水を充水するか、或いは圧縮空気を充填して元の状態に戻す復旧作業に手間と時間がかかるという問題がある。
【０００９】
本発明は、制御盤からの操作による予作動弁装置を含む全体の動作試験を、実放水を伴うことなく簡単且つ確実に行うことを可能とする予作動式スプリンクラー設備を提供することを目的とする。
【課題を解決するための手段】
【００１０】
本発明は、
防護区画に設置された閉鎖型のスプリンクラーヘッドと、
防護区画に設置された火災感知器と、
遠隔制御により開放され、１次側の給水配管から供給された加圧消火用水を２次側配管に接続した前記スプリンクラーヘッドに供給する予作動弁装置と、
スプリンクラーヘッドの開放作動による予作動弁装置の２次側配管の減圧を検出する減圧検出器と、
火災感知器による火災検出と減圧検出器による減圧検出の両方を判別した場合（ダブルインターロック）に予作動弁装置を開放してスプリンクラーヘッドから加圧消火用水を散水させる制御部と、
を備え、定常監視状態でスプリンクラーヘッドを接続した予作動弁装置の２次側配管に加圧消火用水を充水するか又は加圧空気を充填した予作動式スプリンクラー設備に於いて、
試験スイッチと、
試験スイッチの操作時に、火災感知器による擬似的な火災検出と減圧検出器による擬似的な減圧を生成して予作動弁装置を試験動作させ、予作動弁装置の動作を検出する検出器の検出出力に基づき試験結果を報知する試験制御部と、
を設けたことを特徴とする。
【００１１】
また本発明の別の形態にあっては、
防護区画に設置された閉鎖型のスプリンクラーヘッドと、
防護区画に設置された火災感知器と、
遠隔制御により開放され、１次側の給水配管から供給された加圧消火用水を２次側配管に接続したスプリンクラーヘッドに供給する予作動弁装置と、
スプリンクラーヘッドの開放作動による予作動弁装置の２次側配管の減圧を検出する減圧検出器と、
火災感知器による火災検出を判別した場合（シングルインターロック）に予作動弁装置を開放し、その後のスプリンクラーヘッドの開放作動により散水可能状態を作り出す制御部と、
を備え、定常監視状態でスプリンクラーヘッドを接続した予作動弁装置の２次側配管に加圧消火用水を充水するか又は加圧空気を充填した予作動式スプリンクラー設備に於いて、
試験スイッチと、
試験スイッチの操作時に、火災感知器による擬似的な火災検出を生成して予作動弁装置を試験動作させ、予作動弁装置の動作を検出する検出器の検出出力に基づき試験結果を報知する試験制御部と、
を設けたことを特徴とする。
【００１２】
ここで、予作動弁装置は、
加圧消火用水の圧力を利用した駆動機構により開閉動作する予作動弁と、
遠隔操作により前記予作動弁を開閉させる自動起動弁と、
予作動弁の開閉を検出する予作動弁開閉検出器と、
自動起動弁の開閉を検出する起動弁開閉検出器と、
を備え、
試験制御部は、起動弁の開動作させ、起動弁開閉検出器により予作動弁装置の試験動作を検出して試験結果を報知する。
【００１３】
起動弁開閉検出器は、自動起動弁の開位置への作動でオンして起動弁開検出信号を出力する位置検出スイッチである。
【発明の効果】
【００１４】
本発明によれば、制御盤に設けた試験スイッチを操作すると、ダブルインターロックであれば火災発報と２次側配管減圧が擬似的に生成され、またシングルインターロックであれば火災発報が擬似的に生成され、制御盤から予作動弁装置に起動信号が送られて開放動作が行われ、そのときの予作動弁装置の動作状態を検出して報知することで、正常に動作したか否かの試験結果が得られ、予作動弁装置の設置場所に出向くことなく簡単に試験を行うことができる。
【００１５】
また予作動弁装置を試験動作により開放してもスプリンクラーヘッドを接続している２次配管に消火用水が流れることは無く、試験が終了したら、制御盤に設けている予作動弁閉鎖スイッチを操作して予作動弁装置を閉鎖させるだけで済み、２次側配管に対する加圧消火用水の充水作業は不要であり、また消火ポンプは始動させないことから、試験終了に伴う復旧作業は極めて簡単にすることができる。
【図面の簡単な説明】
【００１６】
【図１】本発明による予作動式スプリンクラー設備の実施形態を示した説明図
【図２】図１の予作動弁装置を取り出して詳細を示した説明図
【図３】図１の予作動弁制御盤の回路構成の実施形態を示したブロック図
【図４】ダブルインターロックを設定した予作動式スプリンクラー設備における火災発生時の制御処理を示したフローチャート
【図５】ダブルインターロックを設定した予作動式スプリンクラー設備における試験時の制御処理を示したフローチャート
【図６】シングルインターロックを設定した予作動式スプリンクラー設備における火災発生時の制御処理を示したフローチャート
【図７】シングルインターロックを設定した予作動式スプリンクラー設備における試験時の制御処理を示したフローチャート
【発明を実施するための形態】
【００１７】
図１は本発明による予作動式スプリンクラー設備の実施形態を示した説明図である。図１において、建物の地下階などのポンプ室には消火ポンプ１０が設置され、モータ１２により駆動される。モータ１２はポンプ制御盤１４により起動・停止の運転制御を受ける。モータ１２により駆動された消火ポンプ１０は水源水槽１５からの消火用水を吸入し、建物の高さ方向に配置した給水本管１６に加圧した消火用水を供給する。
【００１８】
消火ポンプ１０に対しては呼水槽１７が設けられる。また消火ポンプ１０を始動するため圧力タンク１８が設けられる。圧力タンク１８は給水本管１６に接続され、配管内の加圧消火用水を導入して内部の空気を圧縮している。圧力タンク１８には圧力スイッチ２０が設けられ、圧力スイッチ２０は給水本管１６の管内圧力が規定圧力以下に低下したことを検出してポンプ制御盤１４に減圧検出信号を出力し、これによってモータ１２を駆動して消火ポンプ１０を始動するようにしている。
【００１９】
給水本管１６には建物の例えば階別ごとに分岐管２２が引き出されている。分岐管２２の分岐部分には予作動弁装置２４が設けられている。予作動弁装置２４の２次側の分岐管には閉鎖型のスプリンクラーヘッド２６が設けられている。またスプリンクラーヘッド２６を設置した防護区画には火災感知器３６が設置されている。
【００２０】
分岐管２２の末端側には末端試験弁２８が設けられ、その２次側を、オリフィス３０を介して排水管３２に接続している。予作動弁装置２４は通常の監視状態で閉鎖状態にあり、また設備の運用開始時に、予作動弁装置２４の２次側のスプリンクラーヘッド２６を接続した分岐管２２に１次側の給水本管１６と同じ規定圧の加圧消火用水を充水している。
【００２１】
予作動弁制御盤３４は、予作動弁装置２４を開放するインターロック条件としてダブルインターロック制御とシングルインターロック制御があるが、いずれか一方のインターロック制御を利用者が選択的に設定できるようにしている。
【００２２】
ダブルインターロック制御の場合、予作動弁制御盤３４は火災感知器３６からの火災検出信号に基づく火災発報と、後の説明で明らかにするスプリンクラーヘッド２６の作動に伴う減圧警報検出スイッチによる減圧検出の両方を判別したときに、予作動弁装置２４を開放する。
【００２３】
これに対しシングルインターロック制御の場合、予作動弁制御盤３４は火災感知器３６からの火災検出信号による火災発報のみで予作動弁装置２４を開放作動することになる。
【００２４】
図２は図１の予作動弁装置を取り出して詳細を示した説明図である。図２において、予作動弁装置２４は本弁として機能する予作動弁４０を備えている。予作動弁４０は開閉駆動機構として、シリンダ４２の中に弁体を兼ねたピストン４４をリターンスプリング４６を介して摺動自在に設けており、ピストン４４は弁座４５に当接することで、加圧消火用水の供給を受ける１次側と、スプリンクラーヘッド２６の配管を接続した２次側を切り離した閉鎖状態としている。
【００２５】
初期状態において、シリンダ４２内には１次側の加圧消火用水が、仕切弁７２、オリフィス７４、逆止弁７６を通る経路で充水され、これによってピストン４４を弁座４５に押し当てて弁閉鎖状態としている。予作動弁装置２４の開放は自動起動弁４８により行う。自動起動弁４８はシリンダ４２内を排水管に接続する経路に設けられており、通常の監視状態では閉鎖状態にある。
【００２６】
自動起動弁４８を図１に示した予作動制御盤３４からの開制御信号により開動作すると、シリンダ４２内の加圧消火用水が、開放した自動起動弁４８を通って排水され、シリンダ４２内の圧力が低下することで、１次側からの押圧をピストン４４が受けて予作動弁４０は開可能状態となる。
【００２７】
この状態で、２次側配管に接続しているスプリンクラーヘッド２６が火災による熱気流を受けて開放すると、作動したスプリンクラーヘッド２６からの放水により２次側の圧力が低下し、ピストン４４がリターンスプリング４６に抗してストロークして予作動弁４０が開放し、１次側から２次側に加圧消火用水が供給される。
【００２８】
予作動弁４０が開放すると、その１次側に接続している図１に示した給水本管１６の圧力が低下し、この減圧を圧力タンク１８に設けている圧力スイッチ２０で検出して、ポンプ制御盤１４がポンプ１０を始動することになる。予作動弁４０の２次側に設けているスプリンクラーヘッド２６の作動による減圧は、減圧警報圧力スイッチ５８で検出される。
【００２９】
また予作動弁４０の開放による２次側への流水は流水警報用圧力スイッチ６０で検出される。流水警報用圧力スイッチ６０に対しては、予作動弁４０の弁座４５の弁体シート面に開口した開口穴からの配管が信号停止弁６２を介して接続されている。また信号停止弁６２の反対側はオリフィス６４及び逆止弁６６を介して排水側に接続されている。
【００３０】
予作動弁４０がピストン４４のストロークにより開放すると、弁座４５からピストン４４が離れることで、流水警報用圧力スイッチ６０に対する配管に１次側の加圧消火用水が供給され、信号停止弁６２側に規定の圧力を発生し、これによって所定時間の遅延タイマー分継続して水圧が加わった時に流水警報用圧力スイッチ６０が作動し、流水警報検出信号を出力することになる。信号停止弁６２に加わる加圧消火用水はオリフィス６４及び逆止弁６６を通って排水される。
【００３１】
流水警報用圧力スイッチ６０は、予作動弁４０が閉鎖している通常状態では、信号テスト弁６８を開くことにより作動試験を行うことができる。信号テスト弁６８を開くと、１次側の加圧消火用水が信号停止弁６２側に供給され、予作動弁４０が開放したときと同様に流水警報用圧力スイッチ６０を作動させることができる。
【００３２】
また自動起動弁４８に対しては開閉検出スイッチ５０として例えばリミットスイッチが設けられており、本実施形態にあっては、開閉検出スイッチ５０により自動起動弁４８の閉鎖状態を検出するようにしている。即ち開閉検出スイッチ５０は、自動起動弁４８が閉鎖状態のときオンし、開放状態に移行するとオフするようになる。
【００３３】
自動起動弁４８と並列には手動起動弁５２が設けられている。手動起動弁５２を開操作すると、自動起動弁４８の遠隔的な開操作の場合と同様に現地にて予作動弁４０を開放することができる。またピストン４２から２次側の配管に向けた経路に充水弁５４を設けている。充水弁５４をシステム運用開始の設定時に開くことで、オリフィス７４で規制された量の加圧消火用水を、シリンダ４６から充水弁５４を介して、スプリンクラーヘッド２６を接続した２次側の配管に供給して、減圧警報用圧力スイッチ５８が非作動となる規定圧力に充水させることができる。
【００３４】
更に予作動弁４０の１次側には仕切弁８０を介して１次側圧力計７８が設けられている。なお必要があれば、予作動弁４０の２次側にも２次側圧力計を１次側と同様に設けるようにしてもよい。
【００３５】
図３は図１の予作動弁制御盤の回路構成の実施形態を示したブロック図である。図３において、予作動弁制御盤３４には、プロセッサなどを用いた制御部８２、表示部８４、操作部８６が設けられている。制御部８２には予作動弁の開閉制御を行う監視制御部８８と試験制御を行う試験制御部９０が設けられている。
【００３６】
表示部８４には各種の表示灯が設けられているが、図３にあっては、試験制御部９０の試験に必要な表示灯のみを取り出している。即ち表示部８４には、予作動弁が開放したことを示す弁開放灯９２、火災感知器３６からの火災検出信号により火災発報が判別されたことを示す火災灯９４、予作動弁装置の２次側に設けている減圧警報用圧力スイッチにより２次側の減圧検出即ちスプリンクラーヘッド作動が検出されたことを示す減圧灯９６、自動起動弁４８に設けた開閉検出スイッチ５０の検出出力に基づいて動作する起動弁閉鎖灯９８を設けている。
【００３７】
なお表示部８４には、これ以外に電源灯、火災発報のための蓄積中を示す蓄積中灯、感知器線断線灯、制御線断線灯などが設けられている。
【００３８】
操作部８６には制御部８２の試験制御部９０に関連する操作部として試験スイッチ１００と弁閉鎖スイッチ１０２が設けられている。なお操作部８６には、これ以外に音響停止スイッチ、予備電源試験スイッチ、移報停止スイッチ、感知器連動停止スイッチ、火災復旧スイッチなどが設けられている。
【００３９】
制御部８２に対しては、火災発報リレー１０４、減圧警報リレー１０６及びインターロック選択リレー１０８が設けられる。火災発報リレー１０４のリレー接点１０４ａ、減圧警報リレー１０６のリレー接点１０６ａを直列接続することで、ダブルインターロック制御のインターロック条件を作り出して、この直列回路に自動起動弁４８を接続している。
【００４０】
また減圧警報リレー１０６のリレー接点１０６ａと並列に、インターロック選択リレー１０８のリレー接点１０８ａが接続されている。インターロック選択リレー１０８は、ダブルインターロック制御の際には非作動状態にあり、リレー接点１０８ａが図示のように開放していることで、リレー接点１０４ａ，１０６ａの直列回路を構成し、火災発報と減圧の２つの条件が成立したときに自動起動弁４８を開放動作するようにしている。
【００４１】
シングルインターロック制御の際にはインターロック選択リレー１０８が作動され、リレー接点１０８ａが閉じることで減圧警報リレー１０６のリレー接点１０６ａがバイパスされ、火災発報リレー１０４のリレー接点１０４ａのオンのみで自動起動弁４８を開放動作するようにしている。
【００４２】
制御部８２に対しては、火災感知器３６からの感知器回線が接続されると共に、自動起動弁４８に設けている開閉検出スイッチ５０と予作動弁装置の２次側の圧力を検出する減圧警報用圧力スイッチ５８からの信号線が接続されている。
【００４３】
制御部８２に設けた監視制御部８８は、ダブルインターロック制御の設定時にはインターロック選択リレー１０８を非作動としており、この状態で火災感知器３６から火災検出信号を受信すると、所定時間、火災検出状態が継続する蓄積を行った後、火災発報と判断し、火災発報リレー１０４を作動して、そのリレー接点１０４ａを閉じる。
【００４４】
火災時には一般的に、先に火災感知器３６が作動し、その後にスプリンクラーヘッドが開放作動する。スプリンクラーヘッドが開放作動すると２次側管内圧力が低下し、減圧警報用圧力スイッチ５８が作動して減圧検出信号を出力し、これを受信して減圧警報リレー１０６を作動して、そのリレー接点１０６ａを閉じる。
【００４５】
これによってリレー接点１０４ａとリレー接点１０６ａの両方が閉じてアンド条件が成立し、即ち火災発報と減圧警報が判別され、自動起動弁４８に起動信号が送られて開放動作が行われる。
【００４６】
自動起動弁４８が開放すると、開閉検出スイッチ５０がそれまでの閉鎖状態のオンからオフに切り替わり、表示部８４に設けている起動弁閉鎖灯９８が、それまでの点灯から消灯に切り替わる。また火災発報リレー１０４の作動と同時に火災灯９４が点灯し、また減圧警報リレー１０６の作動と同時に減圧灯９６が点灯することになる。
【００４７】
自動起動弁４８が開放すると、図２に示したように予作動弁４０が開放し、予作動弁４０に対し設けている流水警報用圧力スイッチ６０が作動し、その検出信号を受けて表示部８４の弁開放灯９２が点灯することになる。
【００４８】
試験制御部９０は、操作部８６に設けた試験スイッチ１００の操作で動作する。操作部８６の試験スイッチ１００としては、予作動弁制御盤３４のパネル面に他のスイッチと一緒に設けてもよいが、必要があれば、扉を開いた盤内の外部から見えない位置に試験スイッチ１００を設けるようにしてもよい。
【００４９】
試験スイッチ１００の操作により試験制御部９０が動作すると、火災感知器３６の火災検出の如何に関わらず擬似的に火災発報リレー１０４を作動してリレー接点１０４ａを閉じる。続いて、減圧警報リレー１０６を減圧警報用圧力スイッチ５８が作動していなくとも擬似的に作動し、そのリレー接点１０６ａを閉じる。
【００５０】
これによって、例えばインターロック選択リレー１０８が非作動状態となるダブルインターロック制御であれば、リレー接点１０４ａ，１０６ａによるアンド条件の成立で自動起動弁４８に制御信号を出力して開放動作し、自動起動弁４８の開放に伴い、図２に示した予作動弁４０のシリンダ室４２の加圧消火用水を排水側に排水して圧力を下げ、これによって予作動弁４０を開放可能状態とする。
【００５１】
なお予作動弁４０のシリンダ室４２の加圧消火用水を排水して圧力が低下しても、２次側に加圧消火用水が流れることがないため、ピストン４４は弁座４５に接触して離れることがなく、実際には弁が開放することは基本的にない。なお弁構造によってはシリンダ４２の加圧消火用水を排水して低下させるとピストン４４がわずかにストロークして弁座４５から離れる場合もあり、このような場合には、弁座４５からピストン４４が離れることで流水警報用圧力スイッチ６０に対する経路が開いて１次側の加圧消火用水が供給され、流水警報用圧力スイッチ６０が作動することで、図３の表示部８４に設けている弁開放灯９２が点灯する場合がある。予作動弁４０のピストン４４がわずかにストロークして開放されても、二次側への充水により一次側と二次側が同圧となれば、ピストンが基に戻って予作動弁４０を閉鎖状態に戻ることから、流水警報用圧力スイッチ６０の作動は蓄積タイマーを設けて、実火災時の予作動弁４０の継続した開放時にのみ流水信号を出力するように蓄積タイマーの時間を設定しても良い。
【００５２】
本実施形態にあっては、予作動弁４０が開放可能状態にあることを、自動起動弁４８に設けている開閉検出スイッチ５０による開検出による表示、即ち表示部８４に設けている起動弁閉鎖灯９８が点灯から消灯に切り替わることで、正常に試験動作が行われたことを確認する。
【００５３】
なお予作動弁４０の試験による開放確認の他の例としては、弁体を一体に設けたピストン４４のシャフトを取り出し、このシャフトにポテンショメータなどの位置検出器あるいは位置検出スイッチなどを配置しておくことで、予作動弁４０の試験時の開放可能状態への動きを検出するようにしても良い。
【００５４】
試験制御部９０による試験が終了した後は、弁閉鎖スイッチ１０２を操作して図２の自動起動弁４８を閉鎖することで、予作動弁４０を閉鎖状態に戻すことができる。自動起動弁４８を閉じるとシリンダ４２の排水側への経路が閉じられ、１次側加圧消火用水が、仕切弁７２、オリフィス７４及び逆止弁７６を設けた経路で徐々に充水され、ピストン４４を弁座４５に押圧して閉鎖状態に復旧させることができる。
【００５５】
なお火災によるスプリンクラーヘッド２６が作動したときの復旧についても同様に、弁閉鎖スイッチ１０２を操作することにより自動起動弁４８を閉じることで、予作動弁４０を閉鎖状態に復旧させることができる。
【００５６】
図４はダブルインターロックを設定した予作動式スプリンクラー設備における火災発生時の制御処理を示したフローチャートである。なお図４にあっては、予作動弁制御盤３４の処理をブロックで示し、それ以外のイベントや操作などについては二重のブロックで示している。
【００５７】
図４において、ステップＳ１で火災が発生した場合、ステップＳ２で火災感知器３６が作動し、ステップＳ３で予作動弁制御盤３４の制御部８２に設けている監視制御部８８において所定時間の蓄積動作が行われ、蓄積時間を経過しても火災発生が継続している場合には、ステップＳ４で火災発報を行い、これによって火災発報リレー１０４を作動してリレー接点１０４ａを閉じる。
【００５８】
続いてステップＳ５でスプリンクラーヘッド２６が火災による熱気流を受けて作動すると、ステップＳ６で予作動弁４０の２次側配管内の減圧が発生し、これをステップＳ７のように減圧警報用圧力スイッチ５８で検出してスイッチが作動し、予作動弁制御盤３４の監視制御部８８は減圧警報リレー１０６を作動することでリレー接点１０６ａを閉じ、これによってリレー接点１０４ａと１０６ａが共に閉じることでアンド条件が成立し、自動起動弁４８に制御信号を出力して、ステップＳ８で自動起動弁４８の開放が行われる。
【００５９】
自動起動弁４８が開放すると、図２に示したように、シリンダ４２の加圧消火用水が排水されて圧力が低下し、１次側加圧消火用水の押圧を受けてピストン４４がストロークして、ステップＳ９に示す予作動弁４０の開放が行われる。
【００６０】
予作動弁４０が開放すると、弁座４５に設けている経路が開放して１次加圧消火用水が流水警報用圧力スイッチ６０に供給され、所定の蓄積時間後にステップＳ１０のスイッチ作動となる。続いてステップＳ１１で予作動弁４０の開放に伴い１次側配管内即ち給水配管１６の圧力低下が発生し、これに伴い、図１に示した圧力タンク１８の圧力スイッチ２０がステップＳ１２に示すように作動し、ステップＳ１３で消火ポンプ１０が始動することで加圧消火用水が供給され、開放状態にある予作動弁装置を介して、作動しているスプリンクラーヘッドから消火用水が放水され、ステップＳ１４の消火が行われる。
【００６１】
続いてステップＳ１５で消火を確認したならば、ステップＳ１６で操作部８６の弁閉鎖スイッチ１０２を操作することで、自動起動弁４８の閉鎖をステップＳ１６で行う。自動起動弁４８が閉鎖すると、図２に示したように予作動弁４０の閉鎖がステップＳ１７で行われ、これに伴い、流水警報用圧力スイッチ６０がステップＳ１８で復旧し、ステップＳ１９で放水停止に至る。
【００６２】
図５はダブルインターロックを設定した予作動式スプリンクラー設備における試験時の制御処理を示したフローチャートである。図５において、ダブルインターロック設定の下での試験処理は、まずステップＳ２１で試験スイッチ１００を操作すると、制御部８２の試験制御部９０が動作し、ステップＳ２２で擬似火災発報を生成することで火災発報リレー１０４を作動し、リレー接点１０４ａを閉じる。
【００６３】
続いてステップＳ２３で２次側配管のスプリンクラー作動に伴う減圧で動作する減圧警報用圧力スイッチ５８による擬似動作を生成して減圧警報リレー１０６を作動し、そのリレー接点１０６ａを閉じる。このような擬似火災発報と減圧警報用圧力スイッチ擬似作動によって自動起動弁４８に対し制御信号が出力され、ステップＳ２４で自動起動弁開放が行われる。
【００６４】
自動起動弁が開放すると、ステップＳ２５で自動起動弁４８に設けている開閉検出スイッチ５０がそれまでのスイッチオン状態からスイッチオフとなることで、表示部８４の起動弁閉鎖灯９８が点灯から消灯に切り替わり、これによって、試験制御により自動起動弁４８が正常に動作したことが確認できる。続いてステップＳ２６で自動起動弁４８の開放に伴い予作動弁４０が開放する。このとき予作動弁４０は開放可能状態であるため、ピストン４４が一時的に動いて弁座４５から流水警報用圧力スイッチ６０に供給されるが、流水警報用圧力スイッチ６０の蓄積タイマーの時間設定により、流水検知信号の出力を防ぐことができる。
【００６５】
続いてステップＳ２７で試験結果を確認する。試験結果の確認は表示部の起動弁閉鎖灯９８が消灯していることで確認する。また予作動弁４０の開放に伴い流水警報用圧力スイッチ６０が作動している場合には、弁開放灯９２が点灯していることによって予作動弁の状態を確認することができる。
【００６６】
続いて試験終了のためにステップＳ２８で弁閉鎖スイッチ１０２を操作することで自動起動弁４８を閉鎖し、これに伴いステップＳ２９で予作動弁４０が閉鎖し、通常監視状態に復旧することで、ステップＳ３０で試験終了となる。
【００６７】
図６はシングルインターロックを設定した予作動式スプリンクラー設備における火災発生時の制御処理を示したフローチャートである。シングルインターロックの設定は、図３に設けたインターロック選択リレー１０８を作動することで、そのリレー接点１０８ａを閉じて、減圧警報リレー１０６のリレー接点１０６ａをバイパスした状態となる。
【００６８】
このようなシングルインターロック処理にあっては、ステップＳ４１で火災発生があると、ステップＳ４２で感知器作動となり、ステップＳ４３の蓄積を経て、ステップＳ４４で火災発報となったらリレー接点１０４ａを閉止し、この時点で、ステップＳ４５で自動起動弁４８に制御信号を送って開放し、スプリンクラーヘッドの作動によるダブルインターロック制御における２次側配管の減圧警報用圧力スイッチの作動を待つことなく、ステップＳ４６で予作動弁４０を開放する。その後のステップＳ４７〜Ｓ５６は、図４に示したダブルインターロック処理におけるステップＳ１０〜Ｓ１９の処理と同じである。
【００６９】
図７はシングルインターロックを設定した予作動式スプリンクラー設備における試験時の制御処理を示したフローチャートである。図７におけるシングルインターロックの試験処理は、ステップＳ６１で試験スイッチ１００を操作すると、ステップＳ６２で擬似火災となり、このとき２次側配管の減圧警報圧力スイッチの擬似作動を待つことなく、ステップＳ６３で自動起動弁４８の弁開放となり、ステップＳ６４で予作動弁４０が開放することになる。その後のステップＳ６５〜Ｓ６９の処理は、図５のダブルインターロックのステップＳ２６〜Ｓ３０の処理と同じである。
【００７０】
ここで、図７のシングルインターロック試験処理にあっては、２次側減圧の擬似発生を行わないようにしているが、他の実施形態として図５のダブルインターロック試験処理と同じ処理を行ってもよい。この場合には、シングルインターロック制御の設定によりリレー接点１０８ａが閉じて減圧警報リレー１０６のリレー接点１０６ａをバイパスしているため、擬似火災発報及び減圧警報用圧力スイッチの擬似作動を行っても、擬似火災発報の段階で自動起動弁４８を開放動作させることができ、実質的にシングルインターロック試験をダブルインターロック試験と同じ処理で実現させることができる。
【００７１】
なお上記の実施形態は、予作動弁制御盤３４に設けた火災発報リレー１０４や減圧警報リレー１０６を制御部８２により動作することで、予作動弁を開放するための自動起動弁４８の開放作動及び閉鎖を行うようにしているが、リレーを用いずにプログラムなどにより、ダブルインターロックのアンド条件もしくはシングルインターロックの条件を判定して自動起動弁４８に開制御信号または閉制御信号を出力するようにしてもよい。
【００７２】
また上記の実施形態は予作動弁装置の２次側配管に加圧消火用水を充水する場合を例に取っているが、２次側配管に圧縮空気を充填させるようにしたスプリンクラー消火設備についても同様に適用できる。
【００７３】
２次側配管に圧縮空気を充填した予作動式スプリンクラー設備にあっては、試験動作の際には予作動弁４０は開放可能状態とはなるが、弁座４５からピストン４４が離れずに、２次側に充填した圧縮空気が抜けない弁構造とすることが望ましい。これによって、試験終了後に２次側に改めて圧縮空気を充填し直す復旧作業を不要にすることができる。
【００７４】
また本発明はその目的と利点を損なうことのない適宜の変形を含み、更に上記の実施形態に示した数値による限定は受けない。
【符号の説明】
【００７５】
２４：予作動弁装置
３４：予作動弁制御盤
３６：火災感知器
４０：予作動弁
４２：シリンダ
４４：ピストン
４５：弁座
４８：自動起動弁
５０：開閉検出スイッチ
５４：充水弁
５８：減圧警報用圧力スイッチ
６０：流水警報用圧力スイッチ
８２：制御部
８４：表示部
８６：操作部
８８：監視制御部
９０：試験制御部
９２：弁開放灯
９４：火災灯
９６：減圧灯
９８： 起動弁閉鎖灯
１００：試験スイッチ
１０２：火災発報リレー
１０４：減圧警報リレー
１０６：インターロック選択リレー
【図１】
2012055505.tif 000003
【図２】
2012055505.tif 000004
【図３】
2012055505.tif 000005
【図４】
2012055505.tif 000006
【図５】
2012055505.tif 000007
【図６】
2012055505.tif 000008
【図７】
2012055505.tif 000009